(57)【要約】【課題】情報記録媒体の初期化中の交替処理で交替領域が不足しても初期化を継続し、初期化途中で取り出しが発生してもそれまでの交替処理を有効にする。【解決手段】コントローラ１２は、取り出し命令を受け取ると（Ｓ１）、第２の交替領域が使用中か否かを判断し（Ｓ２）、ＳＡ２が使用中の場合、その使用容量Ｕを調べ、ユーザ記録の最大アドレス以降から現在までＤｅＩｃｅした空き容量Ｄを調べ、Ｕ＞Ｄでなければ（Ｓ５）、ＳＡ２の使用領域をデータゾーン内に複製し（Ｓ７）、Ｕ＞Ｄであれば（Ｓ５）、必要な容量が確保されるまで処理を待ってから、その領域の直後にＴＬＯを記録して（Ｓ８）、実際に光ディスクの取り出し動作に入る（Ｓ９）。【選択図】      図５
2004227737.tif 000002
【特許請求の範囲】
【請求項１】
正しく記録又は再生ができない記録領域のデータを交替する予め予約された複数個の交替領域を備える情報記録媒体の初期化処理中に第１の交替領域が一杯になったら第１の交替領域から離れた場所にある第２以降の交替領域を自動的に利用し、前記情報記録媒体の取り出し命令を受けたとき、第２以降の交替領域を利用していて初期化が終わった領域と連続しない場合、第２以降の交替領域を初期化が終わった領域内に複製する手段を設けたことを特徴とする情報記録装置。
【請求項２】
正しく記録又は再生ができない記録領域のデータを交替する予め予約された複数個の交替領域を備える情報記録媒体の初期化処理中に第１の交替領域が一杯になったら第１の交替領域から離れた場所にある第２以降の交替領域を自動的に利用し、前記情報記録媒体の取り出し命令を受けたとき、第２以降の交替領域を利用していて初期化が終わった領域と連続しない場合、第２以降の交替領域を初期化が終わった領域と連続する領域に複製する手段を設けたことを特徴とする情報記録装置。
【請求項３】
請求項１又は２記載の情報記録装置において、
連続または初期化済み領域内に複製された交替領域を持つ情報記録媒体がセットされたとき、その複製された交替領域を上書きしつつ再び初期化を継続する手段を設けたことを特徴とする情報記録装置。
【請求項４】
請求項１又は２記載の情報記録装置において、
前記交替領域の複製を行う際に更に欠陥が発生したり複製にエラーが生じた場合、その旨を知らせる連絡手段を設けたことを特徴とする情報記録装置。
【発明の詳細な説明】
【０００１】
【発明の属する技術分野】
この発明は、ＣＤ−ＲＯＭディスク，ＣＤ−Ｒディスク，ＣＤ−ＲＷディスク，ＤＶＤ−ＲＯＭディスク，ＤＶＤ−Ｒディスク，ＤＶＤ−ＲＷディスク，ＤＶＤ−ＲＡＭディスク，ＤＶＤ＋Ｒディスク，ＤＶＤ＋ＲＷディスク等の光ディスク、ＭＯ，ＭＤ等の光磁気ディスク、ハードディスク（ＨＤ），フレキシブルディスク（ＦＤ）等の磁気ディスク、不揮発ＲＡＭ，フラッシュ（Ｆｌａｓｈ）ＲＯＭ）等のメモリカード等の情報記録媒体にデータを記録するコンピュータシステムで使用される情報記録装置に関する。
【０００２】
【従来の技術】
例えば、レーザを照射して情報（データ）を記録することができる光学的情報記録媒体（以下「光ディスク」と称する）に対して、レーザを照射して光ディスクにデータを記録・再生するレーザを照射する装置を有する光学的情報記録再生装置がある（以下、これらの光ディスク及び装置を総称して「光ディスクシステム」と称する）
これらの光ディスクシステムには、その記録領域に対してデータが正しく記録再生できない欠陥が存在した場合、光ディスク内に予め予約されて設けられた交替領域を用いてその欠陥領域への代替処理を行い、その欠陥領域を管理する欠陥管理情報を備えることにより、欠陥によるデータの喪失を防ぐ欠陥管理システムが導入されているものがある。
【０００３】
その欠陥管理システムの元では、光ディスクの記録領域内のデータを再生する場合、まず欠陥管理情報を参照して記録領域内のデータが交替されているか否かを確認し、交替されているデータが存在する場合には、記録領域内のデータを再生すると共に、交替領域内のデータをも再生し、それらをホストコンピュータ等へ正しく転送する必要がある。
欠陥管理システムが導入されているものとしてＭＯやＤＶＤ−ＲＡＭディスクが知られている。また、ＣＤ−ＲＷディスクやＤＶＤ＋ＲＷディスクに対しては、欠陥管理システムとしてマウントレイニア（Ｍｔ．Ｒａｉｎｉｅｒ）規格がある。
【０００４】
マウントレイニア規格の特徴は、欠陥管理領域，交替領域を従来フォーマットにおけるユーザデータ領域に配置したことにある。
したがって、マウントレイニア規格のフォーマットで記録された光ディスクをマウントレイニア規格をサポートしていない情報再生装置（以下「従来ドライブ」と称する）に挿入した場合であっても、従来ドライブがアクセス可能なユーザデータ領域に欠陥管理領域や交替領域が存在するため、特定のドライバを用いることで交替領域（交替セクタ）のデータを正常に読み出すことが可能である。
【０００５】
次に、マウントレイニア規格のＤＶＤ＋ＲＷディスクであるＤＶＤ＋ＭＲＷディスクについて説明する。
ＣＤ−ＲＷディスクのマウントレイニア規格では、ＣＤの記録単位である３２ブロック（Ｂｌｏｃｋ）単位での固定長パケット書き換えを実現する。ここでいう固定長パケットとは３２ブロックと前後のリンクブロック（Ｌｉｎｋ  Ｂｌｏｃｋ）で構成されているＣＤ−ＲＷディスク書き換えの為に定められた基本単位である。これに対して、ＤＶＤ＋ＭＲＷディスクでは、ＤＶＤディスクでの基本単位であるＥＣＣブロック（＝１６ブロック）単位で記録及び再生されて交替される。
【０００６】
そのため、あるブロックに欠陥がありそれを交替する場合には、記録が１６ブロックのＥＣＣブロック単位で実行されるため、交替先のＥＣＣブロックを読み出し、次に交替するブロックのデータを交替先パケット内のブロックに対して置き換え、その後ＥＣＣブロック単位で記録しなければならない。
その動作をリードモディファイライト（Ｒｅａｄ−Ｍｏｄｉｆｙ−Ｗｒｉｔｅ）と呼ぶ。この動作により、ＤＶＤ＋ＭＲＷディスクにおいてブロック単位のランダムライト（Ｒａｎｄｏｍ  Ｗｒｉｔｅ）を実現している。
【０００７】
また、ＣＤ−ＲＷディスクのマウントレイニア規格ではリードイン領域（Ｌｅａｄ−Ｉｎ  Ａｒｅａ）とリードアウト領域（Ｌｅａｄ−Ｏｕｔ  Ａｒｅａ）に挟まれたプログラム領域（Ｐｒｏｇｒａｍ  Ａｒｅａ）内に、複数のデータ領域（Ｄａｔａ  Ａｒｅａ：通常の「ユーザデータ記録領域」に相当する）とスペア領域（Ｓｐａｒｅ  Ａｒｅａ：「交替領域」と称する）を交互に配置しているのに対し、ＤＶＤ＋ＭＲＷディスクでは、データ領域を挟んで交替領域を２箇所配置している。そして、交替処理したときのデータ元のアドレスと交替先のデータのアドレスといった欠陥管理情報は、リードイン領域内のメインテーブル領域（Ｍａｉｎ  Ｔａｂｌｅ  Ａｒｅａ）とプログラム領域の最後の位置にある第２テーブル領域（Ｓｅｃｏｎｄａｒｙ  Ｔａｂｌｅ  Ａｒｅａ）に記録される。
【０００８】
このようなシステムにおいては、記録されたユーザデータを再生する際に、欠陥管理情報を読み込み、再生先のユーザデータが交替されているか否かを確認し、再生先の交替されていないユーザデータと、交替されている場合は該当する交替先のユーザデータを再生し、それらのデータをホストコンピュータに転送する必要がある。しかし、再生するユーザデータの範囲内に複数の交替データが存在する場合、交替元と交替先のアクセスが頻繁に発生し、読み取ったデータの管理（交替元データと交替先データの区別）が煩雑になる。
【０００９】
また、これらの交替動作の前提には、交替領域や交替テーブルを用意しなければならない。その為には、初期化操作が必要である。マウントレイニア規格では、ＣＤ−ＲＷディスク，ＤＶＤ＋ＲＷディスクのどちらもバックグラウンドフォーマットという必要最小限の領域の初期化が終わったら、ユーザ書き込みを可能にするシステムが搭載されており、ユーザ記録が可能になった後も自動的に未記録部に対してフォーマットが進行してゆく。
そして、初期化が全て終わっていない状態であっても光ディスクを取り出すことができる。光ディスクを取り出すときにテンポラリリードアウトという標識を付加すると読取専用装置でも読み出せる可能性が高い。読取専用装置では未初期化部分を越えて読み出すことができないことが多いため、読取専用装置の互換性を重視するなら、あらゆる情報が一連の記録領域に収める必要がある。
【００１０】
従来の情報記録装置では初期化時に交替テーブルの内容を確認し、連続する複数個の欠陥セクタがあり、その欠陥セクタの順序関係と各欠陥セクタに対応する交替セクタの順序関係が一致しない箇所は、交替セクタの順序関係を欠陥セクタの順序関係と一致させるように並び替えるようにしている（例えば、特許文献１参照）。
【００１１】
【特許文献１】
特開平９−３５４１８号公報
【００１２】
【発明が解決しようとする課題】
しかしながら、上述のような情報記録装置では、初期化が終わって完全にフォーマットした後は所定の交替動作を行うが、情報記録媒体を初期化している時に交替処理が発生した場合、単純に交替するだけであり、交替領域が一杯になったときの動作について考慮されていないという問題があった。また、そのような初期化途中の情報記録媒体を取り出すときに互換性を考慮した取り出し方が考慮されていないという問題もあった。
この発明は上記の課題を解決するためになされたものであり、情報記録媒体の初期化中の交替処理で交替領域が不足しても初期化を継続できるようにし、初期化途中で取り出しが発生してもそれまでの交替処理が有効になるようにすることを目的とする。
【００１３】
【課題を解決するための手段】
この発明は上記の目的を達成するため、次の（１）〜（４）の情報記録装置を提供する。
（１）正しく記録又は再生ができない記録領域のデータを交替する予め予約された複数個の交替領域を備える情報記録媒体の初期化処理中に第１の交替領域が一杯になったら第１の交替領域から離れた場所にある第２以降の交替領域を自動的に利用し、上記情報記録媒体の取り出し命令を受けたとき、第２以降の交替領域を利用していて初期化が終わった領域と連続しない場合、第２以降の交替領域を初期化が終わった領域内に複製する手段を設けた情報記録装置。
【００１４】
（２）正しく記録又は再生ができない記録領域のデータを交替する予め予約された複数個の交替領域を備える情報記録媒体の初期化処理中に第１の交替領域が一杯になったら第１の交替領域から離れた場所にある第２以降の交替領域を自動的に利用し、上記情報記録媒体の取り出し命令を受けたとき、第２以降の交替領域を利用していて初期化が終わった領域と連続しない場合、第２以降の交替領域を初期化が終わった領域と連続する領域に複製する手段を設けた情報記録装置。
【００１５】
（３）（１）又は（２）の情報記録装置において、連続または初期化済み領域内に複製された交替領域を持つ情報記録媒体がセットされたとき、その複製された交替領域を上書きしつつ再び初期化を継続する手段を設けた情報記録装置。
（４）（１）又は（２）の情報記録装置において、上記交替領域の複製を行う際に更に欠陥が発生したり複製にエラーが生じた場合、その旨を知らせる連絡手段を設けた情報記録装置。
【００１６】
【発明の実施の形態】
以下、この発明の実施形態を図面に基づいて具体的に説明する。
図１は、この発明の一実施形態である情報記録再生装置の構成を示すブロック図である。
この情報記録再生装置は、ＤＶＤ＋ＭＲＷドライブ等の光ディスク記録装置（光ディスクドライブ）であり、正しく記録又は再生ができない記録領域のデータを交替する予め予約された複数個の交替領域を備えたＤＶＤ＋ＭＲＷディスク等の光ディスク１３を回転させるモータ１と、光ピックアップ３を光ディスク１３の半径方向に移動させる粗動モータ２と、光ピックアップ３とその各制御を行う回転制御系４，粗動モータ制御系５，ピックアップ制御系６及び信号処理系７を備えている。なお、これらの１〜７の各部の機能及び処理は公知技術なので、その詳細な説明は省略する。
【００１７】
また、ＣＰＵ，ＲＯＭ及びＲＡＭからなるマイクロコンピュータによって実現され、この装置全体の制御を司ると共にこの発明に係わる各種の制御処理を実行するコントローラ１２と、コントローラ１２が各種の処理を実行する際の作業領域として使用すると共に各種の設定情報等を格納する不揮発性メモリ８と、光ディスク１３に記録するデータ及び光ディスク１３から読み出したデータ等の情報を格納するバッファメモリ９と、コントローラ１２によって点灯，点滅，消灯などが制御され、ユーザに対して装置やセットされている情報記録媒体の状態を知らせるＬＥＤ１０と、外部のホストコンピュータとのデータのやり取りを司る外部インタフェース１１を備えている。
【００１８】
すなわち、上記コントローラ１２等が、正しく記録又は再生ができない記録領域のデータを交替する予め予約された複数個の交替領域を備える情報記録媒体の初期化処理中に第１の交替領域が一杯になったら第１の交替領域から離れた場所にある第２以降の交替領域を自動的に利用し、上記情報記録媒体の取り出し命令を受けたとき、第２以降の交替領域を利用していて初期化が終わった領域と連続しない場合、第２以降の交替領域を初期化が終わった領域内に複製する手段の機能を果たす。
【００１９】
また、正しく記録又は再生ができない記録領域のデータを交替する予め予約された複数個の交替領域を備える情報記録媒体の初期化処理中に第１の交替領域が一杯になったら第１の交替領域から離れた場所にある第２以降の交替領域を自動的に利用し、上記情報記録媒体の取り出し命令を受けたとき、第２以降の交替領域を利用していて初期化が終わった領域と連続しない場合、第２以降の交替領域を初期化が終わった領域と連続する領域に複製する手段の機能を果たす。
【００２０】
さらに、連続または初期化済み領域内に複製された交替領域を持つ情報記録媒体がセットされたとき、その複製された交替領域を上書きしつつ再び初期化を継続する手段の機能も果たす。
さらにまた、上記コントローラ１２，ＬＥＤ１０が、上記交替領域の複製を行う際に更に欠陥が発生したり複製にエラーが生じた場合、その旨を知らせる連絡手段の機能を果たす。
【００２１】
図２は、ＤＶＤ＋ＲＷディスクとＤＶＤ＋ＭＲＷディスクのデータフォーマットの違いを示す説明図である。
ＤＶＤ＋ＲＷディスクは、同図の（ａ）に示すように、記録領域がリードインゾーン（Ｌｅａｄ  ｉｎ  Ｚｏｎｅ），データゾーン（Ｄａｔａ  Ｚｏｎｅ），リードアウトゾーン（Ｌｅａｄ  Ｏｕｔ  Ｚｏｎｅ）に分割されており、データゾーンはユーザデータ領域（Ｕｓｅｒ  Ｄａｔａ  Ａｒｅａ）のみ存在する。
リードインゾーンにはフォーマット等の情報を記録するＦＤＣＢが存在する。
【００２２】
一方、ＤＶＤ＋ＭＲＷディスクは、同図の（ｂ）に示すように、ＤＶＤ＋ＲＷディスクと同様に、リードインゾーン，データゾーン，リードアウトゾーンに分割されているが、データゾーンはＧＡＡ，第１の交替領域（ＳＡ１），ユーザデータ領域，第２の交替領域（ＳＡ２），ＳＴＡに分割される。
リードインゾーンにはＦＤＣＢの他にＭＴＡが存在する。ここで、ＤＶＤ＋ＭＲＷディスクではフォーマット状態や欠陥管理情報等がＭＴＡ，ＳＴＡに記録されている。ＳＴＡはＭＴＡの内容をコピーしたものであり、データゾーンに配置されている。
【００２３】
ＤＶＤ＋ＭＲＷディスクでは第１の交替領域（ＳＡ１），第２の交替領域（ＳＡ２）という２つの交替領域があり、同様にデータゾーン内に配置される。また、ＧＡＡエリアはＤＶＤ＋ＭＲＷディスクが従来ドライブに挿入された場合に、ＭＲＷドライバがＤＶＤ＋ＭＲＷディスクであることを識別するための情報などが記録される領域である。
このように、ＤＶＤ＋ＭＲＷディスクは欠陥管理領域，交替領域を従来ドライブがアクセス可能なデータゾーン内に配置することにより、従来ドライブでの交替領域を含んだ読み出しを可能にしている。
【００２４】
図３は、ＤＶＤ＋ＭＲＷディスクにおける初期化中に離れた場所にある交替領域にデータが交替される様子の説明図である。
同図の（ａ）は、ＤＶＤ＋ＭＲＷディスクにおいて最低限必要な記録領域の初期化が終わってユーザ記録が可能になったときの状態を示すものであり、リードインゾーン（Ｌｅａｄ  ｉｎ  Ｚｏｎｅ）とＧＡＡ，第１の交替領域（ＳＡ１）が初期化され、ユーザデータ領域は殆ど初期化されていない状態を示している。また、同図の（ｂ）は、ユーザデータ領域の利用が進行したが、交替処理が多く発生し、第１の交替領域（ＳＡ１）が利用され尽くされた場合の様子を示している。さらに、同図の（ｃ）は、一杯になった第１の交替領域（ＳＡ１）を避けて、離れた場所にある第２の交替領域（ＳＡ２）を利用しはじめた所の様子を示している。
【００２５】
図４は、図１に示したホストコンピュータから光ディスク１３の取り出し命令を受けた時の動作と、その後に光ディスクをセットした後の動作の説明に供する図である。
このコントローラ１２におけるこの発明の請求項１に係る動作処理と請求項２に係る動作処理とでは若干動作内容が異なる。
同図の（ａ）はこの発明の請求項１に係る動作処理を説明するためのものであり、それまでに既に初期化を終えたデータゾーンの領域に対して第２の交替領域（ＳＡ２）の交替データを複製する（図中斜線を示す部分）。その交替データを複製した領域は交替処理が有効であるので比較的信頼性がより高い状態にある。その後、ＴＬＯを付加してから取り出す。
【００２６】
同図の（ｂ）はこの発明の請求項２に係る動作処理を説明するためのものであり、それまでに初期化を終えた場所の後に、第２の交替領域（ＳＡ２）の交替データを複製する（図中斜線を示す部分）。その交替データを複製した領域は交替処理がまだ有効でないが連続した記録が可能であり、同図の（ａ）の場合に比べると信頼性では劣るが高速な処理を期待できる。
次に、同図の（ｃ）と（ｄ）は、この発明の請求項３に係る取り出しが終わって再び光ディスク１３がセットされたときの動作処理を説明するためのものであり、連続する領域に複製された交替データは、既に第２の交替領域（ＳＡ２）にも同じもの（図中斜線を示す部分）があるため（同図の（ｃ）参照）、ここを上書きしつつ再び初期化動作を継続する（同図の（ｄ）参照）。そしてまた取り出し命令が来たら、この発明の請求項１に係る動作処理又はこの発明の請求項２に係る動作処理を行う。
【００２７】
図５は、図１に示したコントローラ１２におけるこの発明の請求項１に係る動作処理を示すフローチャート図である。
コントローラ１２は、まず、ステップ（図中「Ｓ」で示す）１で取り出し命令（あるいは記録停止命令）を受け取ると、ステップ２へ進んで第２の交替領域（ＳＡ２）が利用されているかどうかを調べ、ＳＡ２が使用中か否かを判断し、ＳＡ２が使用中でなかったり、またはもう殆ど初期化が終了しているような場合は終了を待った方が効率が良いため、そのまま通常の処理を行って終了し、ステップ９で光ディスクの取り出し動作に入る。
【００２８】
また、ステップ２の判断でＳＡ２が使用中の場合、ステップ３へ進んでその使用容量Ｕを調べ、ステップ４でユーザ記録の最大アドレス以降から現在までＤｅＩｃｅした空き容量（最後の記録個所から今までのユーザデータが未記録であることが確実な領域の大きさＤ）を調べる。ここがＳＡ２を複製するための領域になる。
ステップ５でＵ＞Ｄを判断し、Ｕ＞Ｄでなければ（すなわちＵがＤに記録可能であれば）、ステップ７へ進んで第２の交替領域（ＳＡ２）の使用領域をデータエリア（データ領域，データゾーン）内に複製し、ステップ８でその領域の直後にＴＬＯを記録して、ステップ９で実際に光ディスクの取り出し動作に入る。
【００２９】
一方、ステップ５の判断でＵ＞Ｄであれば（Ｄが小さく、Ｕが記録不可能であれば）ステップ６へ進んで必要な容量が確保されるまで処理を待ってから（暫く初期化を続けさせてＵが入るまで待ってから）、ステップ７へ進んで第２の交替領域の使用領域をデータエリア（データ領域，データゾーン）内に複製し、ステップ８でその領域の直後にＴＬＯを記録して、ステップ９で実際に光ディスクの取り出し動作に入る。こうして連続した領域に交替情報が揃うため、情報記録媒体が取り出された後も交替処理が有効になり、通常の読取専用装置でも交替情報を利用できる。
【００３０】
図６は、図１に示したコントローラ１２におけるこの発明の請求項２に係る動作処理を示すフローチャート図である。
コントローラ１２は、まず、ステップ（図中「Ｓ」で示す）１１で取り出し命令（あるいは記録停止命令）を受け取ると、ステップ１２へ進んで第２の交替領域（ＳＡ２）が利用されているかどうかを調べ、ＳＡ２が使用中か否かを判断し、ＳＡ２が使用中でなかったり、またはもう殆ど初期化が終了しているような場合は終了を待った方が効率が良いため、そのまま通常の処理を行って終了し、ステップ１８で光ディスクの取り出し動作に入る。
【００３１】
また、ステップ１２の判断でＳＡ２が使用中の場合、ステップ１３へ進んでその使用容量Ｕを調べ、ステップ１４で未初期化領域のうちユーザデータ領域の空き領域の容量（空き容量）Ｎの大きさを調べる。ここがＳＡ２を複製するための領域になる。
ステップ１５でＵ＜Ｎを判断し、Ｕ＜Ｎであれば（ＵがＮに記録可能であれば）、ステップ１６へ進んで第２の交替領域（ＳＡ２）の使用領域をデータエリア内（データ領域，データゾーン）に複製し、ステップ１７でその領域の直後にＴＬＯを記録して、ステップ１８で実際にスピンドルモータ停止・トレイアウトなどの光ディスクの取り出し動作に入る。
【００３２】
一方、ステップ１５の判断でＵ＜Ｎでなければ（Ｎが小さく、Ｕが記録不可能であれば）、ステップ１９へ進んで初期化を続けさせて初期化が完了するまで待ち、初期化を完了させ、ステップ１８で実際にスピンドルモータ停止・トレイアウトなどの光ディスクの取り出し動作に入る。
このようにして、連続した領域に交替情報が揃うため、情報記録媒体が取り出された後も交替処理が有効になり、通常の読取専用装置でも交替情報を利用できる。また、未初期化領域への交替データの複製であるため、そこに欠陥が生じた場合は救えない（交替領域の交替は無い）が、ベリファイ動作を省略したり単純な容量判定にできる為、高速な動作が期待できる。
【００３３】
このように、この発明の請求項１又は２に係る機能によれば、複数箇所の交替領域が予約されている場合、初期化中であっても先行して予約されている交替領域を使用することにより、交替領域不足に対処することができる。また、そのような初期化途中の情報記録媒体を取り出すとき、初期化済みの領域またはそれに連続した領域に離れた場所にある交替領域を複製することにより、取り出した後でも交替可能性を持たせることができる。
【００３４】
次に、図１に示したコントローラ１２におけるこの発明の請求項４に係る動作処理を説明する。
コントローラ１２は、ＬＥＤ１０をプログラム制御によって任意に発光を制御することができ、ユーザへの各種の通知手段とすることができる。
上述したステップ７と１６の交替領域の複製処理において記録再生エラーが発生したとき、ＬＥＤ１０を点滅させながら取り出したりすることにより、ユーザに対して記録再生エラーが発生した旨を通知することができる。したがって、不完全な交替による信頼性の低下をユーザに知らせることができる。
【００３５】
このようにして、この情報記録再生装置は、初期化中の交替で領域が不足しても初期化を継続でき、初期化途中で取り出しが発生してもそれまでの交替を有効にできる信頼性と互換性を優れたものにすることができる。また、取り出した光ディスクを再びセットしてもそのまま初期化を継続できるため、使い勝手を優れたものにすることができる。さらに、交替がうまくいかなかった場合でもユーザに対して通知することにより、光ディスクの信頼性を認知させることができる。
【００３６】
【発明の効果】
以上説明してきたように、この発明の情報記録装置によれば、情報記録媒体の初期化中の交替処理で交替領域が不足しても初期化を継続することができ、初期化途中で取り出しが発生してもそれまでの交替処理を有効にすることができる。
【図面の簡単な説明】
【図１】この発明の一実施形態である情報記録再生装置の構成を示すブロック図である。
【図２】ＤＶＤ＋ＲＷディスクとＤＶＤ＋ＭＲＷディスクのデータフォーマットの違いを示す説明図である。
【図３】ＤＶＤ＋ＭＲＷディスクにおける初期化中に離れた場所にある交替領域にデータが交替される様子の説明図である。
【図４】図１に示したホストコンピュータから光ディスク１３の取り出し命令を受けた時の動作とその後に光ディスクをセットした後の動作の説明に供する図である。
【図５】図１に示したコントローラ１２におけるこの発明の請求項１に係る動作処理を示すフローチャート図である。
【図６】図１に示したコントローラ１２におけるこの発明の請求項２に係る動作処理を示すフローチャート図である。
【符号の説明】
１：モータ            ２：粗動モータ
３：光ピックアップ    ４：回転制御系
５：粗動モータ制御系  ６：ピックアップ制御系
７：信号処理系        ８：不揮発性メモリ
９：バッファメモリ    １０：ＬＥＤ
１１：外部インタフェース
１２：コントローラ    １３：光ディスク
【図１】
2004227737.tif 000003
【図２】
2004227737.tif 000004
【図３】
2004227737.tif 000005
【図４】
2004227737.tif 000006
【図５】
2004227737.tif 000007
【図６】
2004227737.tif 000008